(57)【要約】【課題】小型高密度の構内成端用光キャビネット内の多数分岐構造において各種モジュールの各挿入部への成端用光コネクタプラグの挿・抜操作性の向上を図り、各挿入部同士の間隔を最小ピッチ間隔に収めることができるものとした多連式光アダプタを提供する。【解決手段】隔壁４を介して設けられた各挿入部１ａ（１ｂ）へ成端用光コネクタプラグＰを挿・抜可能とし、該各挿入部１ａ（１ｂ）の内奥部に当該プラグＰを係止固定するための左右一対の係止片１０を備えて成る多連式光アダプタであって、各挿入部１ａ（１ｂ）への成端用光コネクタプラグＰの挿・抜操作によって係止片１０が最大に拡開した際に、隣り合う係止片１０同士が互いにぶつからない程度の最小距離に設定可能とした係止片１０退避用の収容部５を、前記隔壁４および左右端にある両挿入部の外側壁内面に形成する。【選択図】図８
2009265208.tif 000002
【特許請求の範囲】
【請求項１】
隔壁を介して設けられた各挿入部へ成端用光コネクタプラグを挿・抜可能とし、該各挿入部の内奥部に当該プラグを係止固定するための左右一対の係止片を備えて成る多連式光アダプタであって、各挿入部への成端用光コネクタプラグの挿・抜操作によって係止片が最大に拡開した際に、隣り合う係止片同士が互いにぶつからない程度の最小距離に設定可能とした係止片退避用の収容部を、前記隔壁および左右端にある両挿入部の外側壁内面にそれぞれ形成して成ることを特徴とする多連式光アダプタ。
【請求項２】
挿入部の下側にアゴ部を設けることで、接続用開口端に斜め上方向に向けて開口して形成される請求項１記載の多連式光アダプタ。
【発明の詳細な説明】
【技術分野】
【０００１】
本発明は、小型高密度の構内成端用光キャビネット内の、例えば４分岐もしくは８分岐等のスプリッタモジュールや変換心線モジュール等の多連式光アダプタに関する。
【背景技術】
【０００２】
従来、成端用光ファイバの先端に組み立てられた光コネクタプラグは、高密度の構内成端用光キャビネット内に設けられている多連式光アダプタであるスプリッタモジュールにより２分岐以上の例えば４分岐等の横配列となったＳＣコネクタ等に接続される。
【０００３】
このとき、二つの成端用光コネクタプラグを相互接続できるように、合成樹脂の成型品で成る多連式光アダプタの両端には、光学軸が一致するようにして、一方の挿入部と、他方の挿入部とをそれぞれ備えている。
【０００４】
多連式光アダプタは、上側壁と左右側壁と底壁とが一体となった横長矩形状のアダプタハウジングによって形成してあり、４分岐の場合、左右側壁の間には３つの隔壁を介して四角筒状の４つの挿入部が形成されていると共に、各挿入部に対応して４つのＳＣコネクタが配置され、上記した一方の挿入部および他方の挿入部における接続開口端は水平方向に開口している。
【０００５】
このＳＣコネクタの具体的な構成としては、アダプタハウジングの中央部を前後で仕切るように配された左右一対の接合端壁の一方に、一方の円筒が一方の接続開口端に向かって突設してあると共に、他方の接合端壁には、他方の円筒が他方の接続開口端に向かって形成し、両円筒が光学軸上で中心軸を一致させて接合端壁同士を嵌合爪を介して係合固定することによってスリーブホルダーが形成されて成る。このとき、スリーブホルダー内側に円筒状の割りスリーブが装着され保持されている。
【０００６】
そして、両接合端壁の左右両側には、両円筒の各端部をそれぞれ囲繞するように、先端に鉤状の爪部を備えた係止片が設けられている。この係止片は各挿入部に対応して各一対ずつ設けられ、前記隔壁は隣り合う係止片の間に配置される。多連式光アダプタの挿入部における接続開口端に成端用光コネクタプラグが挿入された際には、当該プラグのツマミ前端周縁によって係止片が拡開方向に若干撓み、ＳＣコネクタのスリーブホルダーにフェルールが嵌着された際には、ツマミの外周に設けられた係合凹部に係止片の爪部が係合することで固定される。さらに、各挿入部における上側壁中央には、成端用光コネクタプラグ挿入時のガイドおよび安定保持のために、光軸方向に沿って直線溝条となったキー溝がそれぞれ形成されている。
【０００７】
因みに、成端用光コネクタプラグの具体的な構成としては、周知のように、光ファイバ芯線が挿入固定されると共に、後端にフランジが圧入保持されるフェルールと、フランジ後端に当接しフェルールを前方に付勢するスプリングの後端を支持するストップリングと、これら各部材を覆うプラグフレームと、光ケーブルの抗張力線であるケブラを前記ストップリングに固定するカシメ座と、光ケーブルのケブラ外側を覆う合成樹脂外皮であるシースを前記カシメ座に固定するカシメリングと、前記ストップリングに装着されるブーツと、プラグフレームおよびストップリングの外側に被せられるツマミとから概ね構成されている。
【０００８】
そして、ツマミの例えば上側壁の上面中央には、スプリッタモジュールの各挿入部における接続用両開口端に設けられた前記キー溝に嵌合させるための平面略長円形状となったキー突起が突設されている。
【特許文献１】特になし
【発明の開示】
【発明が解決しようとする課題】
【０００９】
しかしながら、従来においては、両接合端壁の左右両側に設けられた係止片は各挿入部に対応して各一対ずつ設けられ、前記隔壁は隣り合う係止片の間に配置されていることから、多連式光アダプタの挿入部における接続開口端に成端用光コネクタプラグが挿入され、係止片が拡開方向に撓んだ際に、当該係止片が隔壁にぶつからないにするためのスペースが必要となり、これによって多連式光アダプタの各挿入部同士の間隔が広くなってしまい、近年の小型高密度化の要請に沿えないものとなる。
【００１０】
また、四角筒状の各挿入部の形状が垂直開口となっていることから、ツマミを介しての成端用光コネクタプラグの挿・抜操作が非常に行い難いものとなる。
【００１１】
そこで、本発明は、叙上のような従来存した諸事情に鑑み案出されたもので、小型高密度の構内成端用光キャビネット内の多数分岐構造において各種モジュールの各挿入部への成端用光コネクタプラグの挿・抜操作性の向上が図れると同時に、成端用光コネクタプラグの挿・抜操作によって係止片が最大に拡開した際に、隣り合う係止片同士が互いにぶつからない最小距離に設定可能にすることで、各挿入部同士の間隔を最小ピッチ間隔に収めることができるものとした多連式光アダプタを提供することを目的とする。
【課題を解決するための手段】
【００１２】
上述した課題を解決するため、本発明にあっては、隔壁を介して設けられた各挿入部へ成端用光コネクタプラグを挿・抜可能とし、該各挿入部の内奥部に当該プラグを係止固定するための左右一対の係止片を備えて成る多連式光アダプタであって、各挿入部への成端用光コネクタプラグの挿・抜操作によって係止片が最大に拡開した際に、隣り合う係止片同士が互いにぶつからない程度の最小距離に設定可能とした係止片退避用の収容部を、前記隔壁および左右端にある両挿入部の外側壁内面に形成して成ることを特徴とする。
【００１３】
挿入部の下側にアゴ部を設けることで、接続用開口端に斜め上方向に向けて開口して形成される。
【発明の効果】
【００１４】
本発明によれば、小型高密度の構内成端用光キャビネット内の多数分岐構造において各種モジュールの各挿入部への成端用光コネクタプラグの挿・抜操作性の向上が図れると同時に、成端用光コネクタプラグの挿・抜操作によって係止片が最大に拡開した際に、隣り合う係止片同士が互いにぶつからない最小距離に設定可能にすることで、各挿入部同士の間隔を最小ピッチ間隔に収めることができる。
【００１５】
すなわち、本発明は、各挿入部への成端用光コネクタプラグの挿・抜操作によって係止片が最大に拡開した際に、隣り合う係止片同士が互いにぶつからない程度の最小距離に設定可能とした係止片退避用の収容部を、前記隔壁および左右端にある両挿入部の外側壁内面に形成して成るので、各挿入部同士の間隔を最小ピッチ間隔に収めることができ、したがって、近年の多数分岐構造による各種モジュールの小型高密度化の要請に沿うものとすることができる。
【００１６】
また、各挿入部の下側にアゴ部を設けることで、各接続用両開口端はそれぞれ斜め上方向に向けて開口して形成されるので、小型高密度の構内成端用光キャビネット内の多数分岐構造における各種モジュールの各挿入部への成端用光コネクタプラグの挿・抜操作性の向上が容易且つ確実に図れるものとなる。
【発明を実施するための最良の形態】
【００１７】
以下、図面を参照して本発明に係る成端用光コネクタプラグを実施するための最良の一形態を詳細に説明する。
成端用光ファイバの先端に組み立てられた成端用光コネクタプラグＰは、図６、図７（ａ）乃至図７（ｃ）、図８に示すような小型高密度の構内成端用光キャビネット内に設けられている各種のモジュールとしての多連式光アダプタである例えばスプリッタモジュールＳＭの４分岐等の横配列となったＳＣコネクタに接続される。
【００１８】
尚、この多連式光アダプタとしてのスプリッタモジュールＳＭは、例えば８分岐の横配列、あるいは２分岐、４分岐、８分岐等の縦配列等となったＳＣコネクタを備えた構成であっても良い。また、スプリッタモジュールＳＭの他に変換心線モジュールであっても良い。
【００１９】
このとき、図１乃至図６に示すように、二つの成端用光コネクタプラグＰを相互接続できるように、合成樹脂の成型品で成るスプリッタモジュールＳＭの両端には、光学軸が一致するようにして、一方の挿入部１ａと、他方の挿入部１ｂとをそれぞれ備えている。
【００２０】
すなわち、スプリッタモジュールＳＭは、図１に示すように、上側壁と左右側壁と底壁とが一体となった横長矩形状のアダプタハウジング７によって形成してあり、４分岐の場合、左右側壁の間には３つの隔壁４を介して四角筒状の４つの挿入部１ａ（１ｂ）が形成されている。また、この中央内部には各挿入部１ａ（１ｂ）に対応して４つのＳＣコネクタが配置され、図１、図３、図４、図６、図７（ａ）乃至図７（ｃ）に示すように、上記した一方の挿入部１ａにおける接続用開口端には、下側にアゴ部６を設けることで、それぞれ斜め上方向に向けて開口している。
【００２１】
このＳＣコネクタの具体的な構成としては、図５に示すように、アダプタハウジング７の中央部を前後で仕切るように配された左右一対の接合端壁の一方に、一方の円筒が一方の接続開口端に向かって突設してあると共に、他方の接合端壁には、他方の円筒が他方の接続開口端に向かって形成し、両円筒が光学軸上で中心軸を一致させて接合端壁同士を嵌合爪を介して係合固定することによってスリーブホルダー８が形成されて成る。このとき、スリーブホルダー８内側に円筒状の割りスリーブ９が装着され保持されている。
【００２２】
そして、図５に示すように、両接合端壁の左右両側には、両円筒の各端部をそれぞれ囲繞するように、先端に鉤状の爪部を備えた係止片１０が設けられている。この係止片１０は各挿入部１ａ（１ｂ）に対応して各一対ずつ設けられ、前記隔壁４は隣り合う係止片１０の間に配置される。
【００２３】
また、図５に示すように、各隔壁４には、左右一対の接合端壁を介して、係止片１０退避用の横長スリット状の収容部５が形成されており、各挿入部１ａ（１ｂ）への成端用光コネクタプラグＰの挿・抜操作によって係止片１０が最大に拡開した際の退避空間を形成している。このとき、収容部５は、図８に示すように、隣り合う係止片１０同士が互いにぶつからない程度で共に収容できる最小距離に設定することで、各挿入部１ａ（１ｂ）同士の間隔が最小ピッチ間隔となってアダプタハウジング７内に収まるようにしてある。尚、アダプタハウジング７の左右端にある両挿入部の外側壁内面、すなわちアダプタハウジング７の左右側面の内壁側には、隔壁４の収容部５に対応して形成された凹溝条の収容部５となっていて、両端側各１本の係止片１０の退避空間を形成している。
【００２４】
また、図１、図４、図６、図７（ａ）乃至図７（ｃ）に示すように、各挿入部１ａ（１ｂ）における上側壁中央には、成端用光コネクタプラグＰ挿入時のガイドおよび安定保持のために、光軸方向に沿って直線溝条となったキー溝２が複数形成されている。
【００２５】
こうして、図８に示すように、多連式光アダプタとしてのスプリッタモジュールＳＭの各挿入部１ａ（１ｂ）における接続両開口端に成端用光コネクタプラグＰが各挿入された際には、当該プラグＰのツマミＱ前端周縁によって係止片１０が拡開方向に若干撓み込み、隣り合う係止片１０同士が互いに干渉せずに収容部５内にそれぞれ退避される。そして、ＳＣコネクタのスリーブホルダー８に成端用光コネクタプラグＰのフェルール１３が嵌着された際には、ツマミＱの前方に突出したプラグフレーム１６の外周に設けられた係合凹部１１に係止片１０先端の爪部が係合することで固定される。
【００２６】
一方、成端用光コネクタプラグＰの具体的な構成としては、周知のように、光ファイバ芯線ａが挿入固定されると共に、後端にフランジ１２が圧入保持されるフェルール１３と、フランジ１２後端に当接しフェルール１３を前方に付勢するスプリング１４の後端を支持するストップリング１５と、これら各部材を覆うプラグフレーム１６と、光ケーブルの抗張力線であるケブラ１８ａを前記ストップリング１５に固定するカシメ座１７と、光ケーブルのケブラ１８ａ外側を覆う合成樹脂外皮であるシース１８を前記カシメ座１７に固定するカシメリング１９と、前記ストップリング１５に装着されるブーツ２０と、プラグフレーム１６およびストップリング１５の外側に被せられるツマミＱとから概ね構成されている（図８参照）。
【００２７】
このツマミＱの例えば上側壁の上面中央には、スプリッタモジュールＳＭの各挿入部１における接続用両開口端に設けられた前記キー溝２に嵌合させるための平面略長円形状となったキー突起３が突設されているが、更に当該キー突起３の上端には、矩形板状による挿・抜操作部を一体形成してあっても良い。そして、この挿・抜操作部は、その上面が例えば前後２連の山型状に若干隆起して成り、その隆起した上面全体には滑り止め用の波状溝が形成されていても良い。
【００２８】
尚、図１、図３、図４、図７（ａ）乃至図７（ｃ）に示すように、アダプタハウジング７の左右側面にはネジ取付孔２１を有するパネル取付用の突起部２２と、該突起部２２を介して前後にパネル挟持用の係止用バネ片２３が設けられている。
【００２９】
成端用光コネクタプラグＰをスプリッタモジュールＳＭのＳＣコネクタに接続する際には、図７（ａ）に示すように、先ず、一方の挿入部１ａにおける接続用両開口端下側のアゴ部６にツマミＱを載せておき、図６および図７（ｂ）に示すように、ツマミＱのキー突起３をスプリッタモジュールＳＭの各挿入部１ａ（１ｂ）における接続用両開口端のキー溝２に水平にスライドさせながら嵌合させる。したがって、図７（ｃ）に示すように、各挿入部１ａ（１ｂ）の上側壁のキー溝２に嵌合したキー突起３を介して、成端用光コネクタプラグＰ自体はスプリッタモジュールＳＭに安定に保持される。
【００３０】
このとき、図８に示すように、左側の２つのプラグＰは、このツマミＱ前端周縁によって係止片１０が拡開方向に撓み込み、隣り合う係止片１０同士が互いに干渉せずに収容部５内にそれぞれ退避されている。
【００３１】
また、図８中の右側から２つ目のプラグＰのように、ＳＣコネクタのスリーブホルダー８にフェルール１３が嵌着された際には、ツマミＱの前方に突出したプラグフレーム１６の外周に設けられた係合凹部１１に係止片１０先端の爪部が係合することで固定される。
【００３２】
さらに、図８中の右側にあるプラグＰのように、ＳＣコネクタのスリーブホルダー８からフェルール１３が抜脱される際には、前記係合凹部１１内縁によって係止片１０が拡開方向に撓み込み、隣り合う係止片１０同士が互いに干渉せずに収容部５内にそれぞれ退避されている。
【図面の簡単な説明】
【００３３】
【図１】本発明を実施するための最良の形態における多連式光アダプタとしてのスプリッタモジュールの一例を示す斜視図である。
【図２】同じくスプリッタモジュールの正面図である。
【図３】同じくスプリッタモジュールの側面図である。
【図４】同じくスプリッタモジュールの平面図である。
【図５】同じくスプリッタモジュールの平断面図である。
【図６】同じくスプリッタモジュールの挿入部に成端用光コネクタプラグを挿入する状態を示す平面図である。
【図７】同じくスプリッタモジュールの挿入部に成端用光コネクタプラグを挿入する手順を示し、（ａ）はツマミをアゴ部に載せる前状態の一部切欠側面図、（ｂ）はツマミをアゴ部に載せて挿入部前方へスライドさせた状態の一部切欠側面図、（ｃ）は成端用光コネクタプラグをスプリッタモジュールの挿入孔に接続した状態の一部切欠側面図である。
【図８】同じくスプリッタモジュールの挿入部への成端用光コネクタプラグの挿・抜操作例を示す平断面図である。
【符号の説明】
【００３４】
Ｐ          成端用光コネクタプラグ
Ｑ          ツマミ
ＳＭ        スプリッタモジュール（本発明に係る多連式光アダプタ）
ａ          光ファイバ芯線
１ａ、１ｂ  挿入部
２          キー溝
３          キー突起
４          隔壁
５          収容部
６          アゴ部
７          アダプタハウジング
８          スリーブホルダー
９          割りスリーブ
１０        係止片
１１        係合凹部
１２        フランジ
１３        フェルール
１４        スプリング
１５        ストップリング
１６        プラグフレーム
１７        カシメ座
１８        シース
１８ａ      ケブラ
１９        カシメリング
２０        ブーツ
２１        ネジ取付孔
２２        突起部
２３        係止用バネ片
【図１】
2009265208.tif 000003
【図２】
2009265208.tif 000004
【図３】
2009265208.tif 000005
【図４】
2009265208.tif 000006
【図５】
2009265208.tif 000007
【図６】
2009265208.tif 000008
【図７】
2009265208.tif 000009
【図８】
2009265208.tif 000010